(57)【要約】      （修正有）【課題】開いた際に蓋体を直立させて安定して保持させると共に包装箱内部の表示体を直立させて安定して保持させることができ、前記包装箱の内容物により起立手段が影響を受けることがなく、問題なく蓋体を開閉することができる包装箱を提供する。【解決手段】蓋体１００と、箱本体２００に対しヒンジ部により開閉可能に連結された蓋体と、前記蓋体および前記箱本体のそれぞれの内面に沿ってヒンジ部を覆う様に設置された張力調整板３００と、前記箱本体に設置された枠体４００と、前記枠体に設置された表示体４１０と前記表示体と、前記蓋体側の張力調整板との双方に接続された表示体支持板４２０と、を備えた包装箱であって、前記表示体が、前記蓋体の動きに連動し、前記包装箱を開いたときに、前記蓋体と前記表示体とがそれぞれ略直立するようにして包装箱を構成する。【選択図】図１４
0003152374.tif 000002
【実用新案登録請求の範囲】
【請求項１】
箱本体と、
箱本体に対しヒンジ部により開閉可能に連結された蓋体と、
前記蓋体および前記箱本体のそれぞれの内面に沿ってヒンジ部を覆う様に設置された張力調整板と、
前記箱本体に設置された枠体と、
前記枠体に設置された表示体と
前記表示体と前記蓋体側の張力調整板との双方に接続された表示体支持板と、
を備えた包装箱であって、
前記表示体が、前記蓋体の動きに連動し、
前記包装箱を開いたときに、前記蓋体と前記表示体とがそれぞれ略直立することを特徴とする、包装箱。
【請求項２】
前記蓋体が、天板ならびに前記天板の周囲に前記天板に対して垂直に設置された前側面板、横側面板および後側面板を有し、
前記箱本体が、底板ならびに前記底板の周囲に前記底板に対して垂直に設置された前側面板、横側面板および後側面板を有し、
前記蓋体の後側面板端部と前記箱本体の後側面板端部とがヒンジ部により開閉可能に連結され、
前記張力調整板が、前記蓋体の天板、前記蓋体の後側面板および前記箱本体の後側面板に接して設置されると共にヒンジ部を覆い、
前記枠体が、前記箱本体の前側面板、前記箱本体の横側面板および前記箱本体の後側面板に接して前記箱本体内部に挿入され、
前記表示体が、前記箱本体の後側面板に位置する前記枠体に接続され、
前記表示体支持板が、前記蓋体の天板に設置された前記張力調整板と前記表示体の背面との双方に接続された、請求項１に記載の包装箱。
【請求項３】
前記表示体が、人物画像、キャラクター画像、動物画像および文字情報の少なくとも一つを表示した、請求項１または２に記載の包装箱。
【考案の詳細な説明】
【技術分野】
【０００１】
本考案は、贈答品等の内容物を包装することができる包装箱に関し、さらに詳しくは開いたときに内部に格納された表示体が連動する包装箱に関するものである。
【背景技術】
【０００２】
飛び出す絵本等に代表される様に、カードや絵本にあらかじめ細工をしておくことにより、これらのカードや絵本の開く動きに連動して、内部から立体的な切り絵等を起き上がらせることができる。
【０００３】
これらのカードや絵本は開く前は平面的なものとしか認識されていないために、これらのカードや絵本を手に取った者は開いた際の動作を予測していない。ところが実際にこれらのカードや絵本を開いた際には思いがけない立体的な形状が現れることから見る者を驚かせ、また楽しませる効果がある。このためカードや絵本を見る者に対し、より興味深く惹き付けることが可能となる。
【０００４】
この様なカードや絵本は市販されていて、大手デパートのカード売り場や絵本売り場等で実物を見ることができる。
【０００５】
この一方、上記のカードや絵本を応用した梱包箱が提案されている。
この梱包箱は箱本体と蓋とを備えるものであり、前記蓋を開く動作と連動して前記梱包箱内部の梱包物が起立するように、紐、ワイヤ、ロープ等の起立手段の一端が箱本体に固定され、前記起立手段の他端が蓋に固定されている。
【０００６】
この梱包箱であれば、梱包箱の蓋を開く動作と共に内部の梱包物が起き上がるために、ユーザーが梱包箱を開梱したときに着目すべき梱包物であることをユーザーが直感的に把握することができるとされる（特許文献１）。
【０００７】
しかし先に提案された梱包箱では梱包箱を開く際に、蓋と箱本体とを連結する起立手段により梱包物が起き上がる構造を有する。このため梱包箱内部に隙間無く梱包物を詰めた場合には梱包物が動く余地がないことから梱包箱が開かなくなる問題があった。また勢い良く梱包箱を開けると梱包物が梱包箱内部から外部へ飛び出して破損してしまうも問題もあった。
【先行技術文献】
【特許文献】
【０００８】
【特許文献１】特開２００９−５１５３６号公報
【考案の概要】
【考案が解決しようとする課題】
【０００９】
また包装箱の蓋体が大きくなるに従って包装箱を開いたときに蓋体を安定して保持することが困難となる。このため包装箱の蓋体を開いた状態で保持し、内容物を展示することは容易ではない。
【００１０】
本考案が解決しようとする問題点は、開いた際に蓋体を直立させて安定して保持させると共に包装箱内部の表示体を直立させて安定して保持させることができ、前記包装箱の内容物により起立手段が影響を受けることがなく、問題なく蓋体を開閉することができる包装箱を提供することにある。
【課題を解決するための手段】
【００１１】
上記課題を解決すべく考案者が鋭意検討した結果、蓋体と箱本体とがヒンジ部により開閉可能に連結された包装箱であって、前記蓋体内面と前記箱本体内面とに設置された張力調整板と、前記張力調整板に連結されると共に前記箱本体内部に設置された枠体に連結された表示体とを備えた包装箱が本考案の目的に適うことを見出し、本考案を完成するに至った。
【００１２】
すなわち本考案は、
［１］箱本体と、
箱本体に対しヒンジ部により開閉可能に連結された蓋体と、
前記蓋体および前記箱本体のそれぞれの内面に沿ってヒンジ部を覆う様に設置された張力調整板と、
前記箱本体に設置された枠体と、
前記枠体に設置された表示体と
前記表示体と前記蓋体側の張力調整板との双方に接続された表示体支持板と、
を備えた包装箱であって、
前記表示体が、前記蓋体の動きに連動し、
前記包装箱を開いたときに、前記蓋体と前記表示体とがそれぞれ略直立することを特徴とする、包装箱を提供するものである。
【００１３】
また本考案は、
［２］前記蓋体が、天板ならびに前記天板の周囲に前記天板に対して垂直に設置された前側面板、横側面板および後側面板を有し、
前記箱本体が、底板ならびに前記底板の周囲に前記底板に対して垂直に設置された前側面板、横側面板および後側面板を有し、
前記蓋体の後側面板端部と前記箱本体の後側面板端部とがヒンジ部により開閉可能に連結され、
前記張力調整板が、前記蓋体の天板、前記蓋体の後側面板および前記箱本体の後側面板に接して設置されると共にヒンジ部を覆い、
前記枠体が、前記箱本体の前側面板、前記箱本体の横側面板および前記箱本体の後側面板に接して前記箱本体内部に挿入され、
前記表示体が、前記箱本体の後側面板に位置する前記枠体に接続され、
前記表示体支持板が、前記蓋体の天板に設置された前記張力調整板と前記表示体の背面との双方に接続された、上記［１］に記載の包装箱を提供するものである。
【００１４】
また本考案は、
［３］前記表示体が、人物画像、キャラクター画像、動物画像および文字情報の少なくとも一つを表示した、上記［１］または［２］に記載の包装箱を提供するものである。
【考案の効果】
【００１５】
本考案の包装箱は、前記箱本体の底板に起立手段を設ける必要がないことから、前記包装箱に内容物を入れても前記蓋体の開閉が阻害されることがない。また前記包装箱を開いた際に内容物が前記包装箱から飛び出して破損する問題も解決される。
【００１６】
また本考案の包装箱は、前記張力調整板により前記蓋体が反対側に倒れることを防止しているため、前記蓋体を安定して略直立させることができる。また前記蓋体は、前記張力調整板に接続された  前記表示体支持板により支えられているため略直立した位置から前後に揺れた場合でも元の位置に戻ることから略直立した状態を保持することができる。
【００１７】
また前記表示体も前記表示体支持板により前記張力調整板を通して前記蓋体に接続されているため、安定して略直立した状態を保持することができる。
また本考案の包装箱は前記蓋体を開くと共に、前記表示体が起きあがるため、包装箱の内容物を見る者の視覚的効果に訴えることができ、包装箱の内容物に注意を喚起することができる。
【００１８】
加えてこの表示体に、例えば、人物画像、キャラクター画像、動物画像等を表示することにより、包装箱を開くと人物画像等が立ち上がるため、前記包装箱を受け取った者に対して、視覚的にさらに注意力を喚起させることができる。
また表示体は前記箱本体の後側面板の位置に設置することができるため、前記包装箱の内容物の取り出しの障害や前記蓋体の開閉の障害になることがなく、取扱性に優れる。
【図面の簡単な説明】
【００１９】
【図１】本考案の包装箱のうち、蓋体と箱本体を構成する展開図を例示したものである。
【図２】本考案の包装箱の蓋体における天板と後側面板との関係を説明するための模式斜視図である。
【図３】本考案の包装箱の蓋体における天板と横側面板との関係を説明するための模式斜視図である。
【図４】蓋体の構造を箱本体側から観察した状態を例示した模式斜視図である。
【図５】蓋体の構造を箱本体側から観察した状態を例示した模式斜視図である。
【図６】本考案の包装箱の蓋体を例示した模式斜視図である。
【図７】本考案の包装箱の箱本体における底板と後側面板との関係を説明するための模式斜視図である。
【図８】本考案の包装箱の箱本体における底板と横側面板との関係を説明するための模式斜視図である。
【図９】本考案の包装箱の箱本体を例示した模式斜視図である。
【図１０】本考案の包装箱に使用される蓋体と箱本体との関係を説明するための模式斜視図である。
【図１１】本考案に使用する張力調整板を例示した模式平面図である。
【図１２】蓋体および箱本体に張力調整板が設置された構造を例示した模式斜視図である。
【図１３】箱本体に挿入して使用される枠体を説明するための模式斜視図である。
【図１４】本考案の包装箱を例示した模式斜視図である。
【図１５】本考案の包装箱を閉じた状態を例示した模式斜視図である。
【考案を実施するための形態】
【００２０】
以下に図面に基づいて実施例により本考案を詳細に説明するが、本考案はこの実施例により何ら限定されるものではない。
【実施例１】
【００２１】
図１は、本考案の包装箱のうち、蓋体と箱本体を構成する展開図を例示したものである。
この展開図に示された厚紙を折り曲げることにより包装箱の蓋体と箱本体とを形成することができる。
【００２２】
本考案の素材は、紙、プラスチック板、金属板等を使用することができるが、取扱性の面から、通常包装箱として使用される厚紙等の紙製であることが好ましい。本考案の素材として市販されている厚紙を使用した。
【００２３】
図１に例示された展開図のうち、天板１０１、前側面板１０２（部材１０２ａ，１０２ｂから形成される）、横側面板１０３，１０４（それぞれ部材１０３ａ〜１０３ｅ，１０４ａ〜１０４ｅから形成される）、および後側面板１０５（部材１０５ａ〜１０５ｄから形成される）により蓋体１００が形成される。また、底板２０１、前側面板２０２（部材２０２ａ，２０２ｂから形成される）、横側面板２０３，２０４（それぞれ部材２０３ａ〜２０３ｄ，２０４ａ〜２０４ｄから形成される）、および後側面板２０５（部材２０５ａ〜２０５ｄから形成される）により箱本体２００が形成される。
なお図１において破線は厚紙を折り曲げる箇所を示すものである。
【００２４】
図２は、本考案の包装箱の蓋体における天板と後側面板との関係を説明するための模式斜視図である。
前記天板１０１に対して後側面板部材１０５ａを垂直に設置する。また後側面板部材１０５ｃと１０５ｄとを折り曲げる。この際、後側面板部材１０５ｄが前記蓋体の内側となるようにし、かつ後側面板部材１０５ｃと１０５ｄとが、前記天板１０１および前記後側面板部材１０５ａの双方に対して垂直となるように設置する。前記後側面板部材１０５ａは、箱本体を形成する後側面板部材２０５ａと接続されていて、前記後側面板部材１０５ａと前記後側面板部材２０５ａとは互いに自由に動かすことができる。これにより、前記後側面板部材１０５ａと前記後側面板部材２０５ａとの連結部に対してヒンジ部としての機能を付与することができる。
【００２５】
また、前記天板１０１には横側面板部材１０３ａ〜１０３ｅが接続されていて、前記横側面板部材１０３ｂには切り込み１１０，１１１が設けられている。
なお図面において説明の便宜上省略した形状箇所は波線で示してある。以下同様である。
【００２６】
図３は、本考案の包装箱の蓋体における天板と横側面板との関係を説明するための模式斜視図である。
前記後側面板部材１０５ｃ，１０５ｄ（図２参照）の双方を包み込む様に横側面板部材１０３ａを前記天板１０１に対して垂直に折り曲げ、さらに横側面板部材１０３ｂを折り返して、横側面板部材１０３ｅを天板１０１に設置する。この際、横側面板部材１０３ｄ，１０３ｃを、前記横側面板部材１０３ｄが蓋体に対して内側となるように重ねて折り曲げる。これにより、横側面板部材１０３ａ，１０３ｂを前記天板１０１に対して垂直に設置することができる。
【００２７】
なお前記天板１０１には前側面板部材１０２ａ，１０２ｂが接続されている。
【００２８】
図４および図５は、図３に例示された蓋体の構造を箱本体側から観察した状態を例示した模式斜視図である。
【００２９】
横側面板部材１０３ｂと１０３ｅとを互いに垂直に折り曲げることにより、切り込み１１０の部分に差込孔が形成される。
【００３０】
次に横側面板部材１０３ｃ，１０３ｄを折り曲げることにより、横側面板１０３ｂに設けられた切り込み１１１の位置に差込孔が同様に形成される。
【００３１】
図６は本考案の包装箱の蓋体を例示した模式斜視図である。
先の図５に戻り、前記横側面板部材１０３ｃ，１０３ｄの双方を包み込むように前側面板部材１０２ａ，１０２ｂを折り返す。次に前記前側面板部材１０２ｂの突起部１２０を前記横側面板部材１０３ｂの切り込み１１１の位置に形成された差込孔に挿入する。これにより図６に例示した包装箱の蓋体が得られる。
【００３２】
図７は、本考案の包装箱の箱本体における底板と後側面板との関係を説明するための模式斜視図である。
【００３３】
前記底板２０１に対して後側面板部材２０５ａを垂直に設置する。また後側面板部材２０５ｃと２０５ｄとを折り曲げる。この際、後側面板部材２０５ｄが前記箱本体の内側となるようにし、かつ後側面板部材２０５ｃと２０５ｄとが、前記底板２０１および前記後側面板部材２０５ａの双方に対して垂直となるように設置する。前記後側面板部材２０５ａは、蓋体を形成する後側面板部材と接続されていて、この接続部が本考案に使用されるヒンジ部として機能する点は先に説明した場合と同様である。
【００３４】
また、前記底板２０１には横側面板部材２０３ａ〜２０３ｄが接続されていて、前記横側面板部材２０３ｂには切り込み２１２、突起部２１１および凹状部２１４が形成されている。この一方、前記底板２０１には貫通孔２１０が形成されている。
【００３５】
図８は、本考案の包装箱の箱本体における底板と横側面板との関係を説明するための模式斜視図である。
前記後側面板部材２０５ｃ，２０５ｄ（図７参照）の双方を包み込む様に横側面板部材２０３ａを前記底板２０１に対して垂直に折り曲げ、さらに横側面板部材２０３ｂを折り返して、突起部２１１を貫通孔２１０にはめることにより横側面板部材１０３ｅを天板１０１に設置する。この際、横側面板部材２０３ｄ，２０３ｃを、前記横側面板部材２０３ｄが箱本体に対して内側となるように重ねて折り曲げる。これにより、横側面板部材２０３ａ，２０３ｂを前記底板２０１に対して垂直に設置することができる。
【００３６】
なお前記底板２０１には前側面板部材２０２ａ，２０２ｂが接続されている。
【００３７】
図９は本考案の包装箱の箱本体を例示した模式斜視図である。
先の図８に戻り、前記横側面板部材２０３ｃ，２０３ｄの双方を包み込むように前側面板部材２０２ａ，２０２ｂを折り返す。次に前記前側面板部材２０２ｂの突起部２１３を前記横側面板部材２０３ｂの切り込み２１２の位置に形成された差込孔に挿入する。これにより図９に例示した包装箱の箱本体が得られる。
【００３８】
図１０は本考案の包装箱に使用される蓋体と箱本体との関係を説明するための模式斜視図である。
図１０に例示されるように、蓋体１００の後側面板１０５の端部と箱本体２００の後側面板２０５の端部とはそれぞれ連結されていてヒンジ部を形成している。これにより、蓋体１００と箱本体２００とを相互に開閉することができる。
なお、実施例１に例示された考案ではこのヒンジ部は厚紙を折り曲げることにより形成されているが、例えば、蓋体１００の後側面板１０５と箱本体２００の後側面板２０５とを折り曲げ部分で切り離しておき、さらに厚紙を貼付することによってもヒンジ部を形成することができる。
また厚紙を貼付する代わりに市販のヒンジ部材を使用することもできる。
【００３９】
箱本体２００の前側面板２０２の高さは、箱本体２００の後側面板２０５の高さに比べて小さく設定されている。また逆に蓋体１００の前側面板１０２の高さは、蓋体１００の後側面板１０４の高さよりも大きく設定されている。この様に蓋体１００の後側面板の高さを小さくすることにより、前記蓋体１００を直立させたときに包装箱全体の重心を包装箱の手前側（箱本体２００の前側面板２０２側）に移動させることが可能になる。これにより前記蓋体１００を直立させたときに包装箱全体が後ろに転倒することを防止することが容易となる。
【００４０】
さらに前記包装箱の蓋体１００には切り込み１１０の位置に形成された差込孔が形成されている。また前記包装箱の箱本体２００の横側面板２０４に凹状部２１４による差込孔が形成されている。
【００４１】
図１１は本考案に使用する張力調整板を例示した模式平面図である。
図１１に例示される張力調整板３００は蓋体や箱本体と同じ厚紙により形成されていて、突起部３１０，３１１および貫通孔３２０が形成されている。また図１１中の破線部は折り曲げ部分を示したものである。前記張力調整板３００の部材３００ｂは図１０の前記蓋体１００の後側面板１０５と同じ形状を有している。また前記張力調整板３００の部材３００ｃは図１０の前記箱本体２００の後側面板２０５と同じ幅（すなわち前記箱本体２００の横側面板間の長さ）を有している。
【００４２】
前記張力調整板３００の前記突起部３１０を図１０の前記蓋本体の切り込み１１０の位置に形成された差込孔に挿入する。また前記突起部３１１を図１０の前記箱本体の凹状部２１４により形成された差込孔に挿入する。これにより次の図１２に例示した構造が得られる。
【００４３】
図１２は蓋体および箱本体に張力調整板が設置された構造を例示した模式斜視図である。
【００４４】
前記蓋体１００および箱本体２００には張力調整板３００が組み込まれているために、前記蓋体１００を開いたときに前記蓋体１００が後方へ転倒せず、略直立させることができる。
【００４５】
ヒンジ部に対して垂直方向の前記張力調整板３００の部材３００ｂ，３００ｃの長さを小さくすれば前記蓋体を開いたときに容易に手前に転倒し、ヒンジ部に対して垂直方向の前記張力調整板３００の部材３００ｂ，３００ｃの長さを大きくすれば前記蓋体を開いたときに容易に後方に転倒する。この関係を利用してヒンジ部に対して垂直方向の前記張力調整板３００の部材３００ｂ，３００ｃの長さを調整することにより、バランスよく前記蓋体１００を開いたときに前記蓋体１００を直立させることができる。
【００４６】
図１３は箱本体に挿入して使用される枠体を説明するための模式斜視図である。
この枠体４００は長方形の厚紙を折り曲げて四角筒状に形成されている。
またこの枠体４００には表示体４１０と表示体支持板４２０が設置されている。前記表示体支持板４２０は、部材４２０ｄの部分で表示体４１０に接着されている。
前記表示体支持板４２０の部材４２０ａを張力調整板に設けられた貫通孔３２０に挿入することにより図１４に示す本考案の包装箱を得ることができる。
【００４７】
図１４は本考案の包装箱を例示した模式斜視図である。
本考案の包装箱を開いたときに前記蓋体１００は略直立する。またこの蓋体１００は前記表示体支持板４２０にも連結されているため、安定して直立することができる。
【００４８】
また同様に前記表示体も本考案の包装箱を開いたときに直立する。
図１４の構造から明かな様に、本考案の包装箱を開いたときに、前記包装箱に収納した内容物が飛び出したり、包装箱が開かなくなったりすることはなく、問題なく使用することができる。この箱本体内部には適宜内容物を入れることができる。
【００４９】
また表示体４１０に例えば、人物画像、キャラクター画像、動物画像等を表示することにより、包装箱を開いたときに蓋体の動きに連動して人物画像等を表した表示体が立ち上がり略直立状態で安定して止まるため、前記包装箱を受け取った者に対して、視覚的に内容物に注意力を喚起させることができる。
【００５０】
例えば表示体４１０に送り手の写真やイラスト、似顔絵等を配置すれば、包装箱の受け手に対して送り手が直接受け手に対して包装箱を届けたかの様な驚きと喜びの視覚的効果を演出することができる。さらには表示体４１０にはこれらの図形情報以外にも文字情報の表示も可能である。
【００５１】
図１５は本考案の包装箱を閉じた状態を例示した模式斜視図である。
図１５を見ただけでは図１４に例示した構造が展開することは予測することができず、より一層包装箱の受け手に対して包装箱の内容物に対して注意力を喚起することができる。
【産業上の利用可能性】
【００５２】
本考案の包装箱は蓋体を開く動作に連動して内部の表示体が立ち上がり、蓋体と表示体が略直立して安定して止まる。これにより包装体の受け手に対して従来になかった驚きと喜びの視覚的効果を与えることができることから、正月、クリスマス、各種記念日等の贈答品の包装箱として特に有用である。さらには表示体の形状や表示内容を工夫することにより包装箱内部を展示する展示容器としての機能も合わせもつものであり、その用途範囲は広く従来にない包装箱として広く産業上利用することができる。
【符号の説明】
【００５３】
１００    蓋体
１０１    天板
１０２    蓋体の前側面板
１０２ａ，１０２ｂ    蓋体の前側面板部材
１０３，１０４    蓋体の横側面板
１０３ａ〜１０３ｅ，１０４ａ〜１０４ｅ    蓋体の横側面板部材
１０５    蓋体の後側面板
１０５ａ〜１０５ｄ    蓋体の後側面板部材
１１０，１１１    切り込み
１２０    突起部
２００    箱本体
２０１    底板
２０２    箱本体の前側面板
２０２ａ，２０２ｂ    箱本体の前側面板部材
２０３，２０４    箱本体の横側面板
２０３ａ〜２０３ｄ，２０４ａ〜１０４ｄ    箱本体の横側面板部材
２０５    箱本体の後側面板
２０５ａ〜２０５ｄ    箱本体の後側面板部材
２１０    貫通孔
２１２    切り込み
２１１    突起部
２１３    突起部
２１４    凹状部
３００    張力調整板
３００ａ，３００ｂ，３００ｃ    張力調整板部材
３１０，３１１    突起部
３２０    貫通孔
４００    枠体
４１０    表示体
４２０    表示体支持板
４２０ａ，４２０ｂ，４２０ｃ，４２０ｄ    表示体支持板部材
【図１】
0003152374.tif 000003
【図２】
0003152374.tif 000004
【図３】
0003152374.tif 000005
【図４】
0003152374.tif 000006
【図５】
0003152374.tif 000007
【図６】
0003152374.tif 000008
【図７】
0003152374.tif 000009
【図８】
0003152374.tif 000010
【図９】
0003152374.tif 000011
【図１０】
0003152374.tif 000012
【図１１】
0003152374.tif 000013
【図１２】
0003152374.tif 000014
【図１３】
0003152374.tif 000015
【図１４】
0003152374.tif 000016
【図１５】
0003152374.tif 000017